(57)【要約】【課題】室内の複数の使用者に対して快適性を満たすことのできる空気調和機を提供する。【解決手段】冷房運転時に吹出口５から上方に冷気を送出して室内を均一な温度分布にする。また吹出口５の左側の左側吹出口５ａから例えば左下方に第１気流Ａを吹出して、左側壁Ｗ１に沿って流通させ、右側の右側吹出口５ｂから正面上方に第２気流Ｂを吹出て天井壁Ｓに沿って流通させる。これにより、室内を左右に分割した第１、第２領域Ｅ１、Ｅ２に温度差が形成される。更に、左側吹出口５ａの風量の割合を増加して第１、第２領域Ｅ１、Ｅ２の温度差を大きくする。その結果、１つの部屋を分割した第１、第２領域Ｅ１、Ｅ２をそれぞれ独立に温度制御する。【選択図】図１０
2006220417.tif 000002
【特許請求の範囲】
【請求項１】
空気を送出する吹出口を有する室内機を備え、冷房運転時に前記吹出口から上方へ吹出して室内の天井壁に沿って流通させる気流と、前記吹出口から側方へ吹出して室内の側壁に沿って流通させる気流とを送出し、前記室内機を左右に分断する鉛直面で１つの部屋を左右に分割した一方の領域の平均温度を、他方の領域の平均温度よりも高くするとともに、前記吹出口から吹出して各前記領域を流通する風量の割合の増減によって各前記領域の温度差を可変したことを特徴とする空気調和機。
【請求項２】
空気を送出する吹出口を有する室内機を備え、冷房運転時に前記吹出口から正面上方へ吹出した気流を室内の天井壁に沿って流通させ、１つの部屋を鉛直面で分割した前記室内機に近い側の平均温度を、遠い側の平均温度よりも高くするとともに、前記吹出口の吹出し時の風速の増減によって前記室内機に近い側と遠い側との温度差を可変したことを特徴とする空気調和機。
【請求項３】
空気を送出する吹出口を有する室内機を備え、冷房運転時に前記吹出口から真下方向または下方後方へ吹出した気流を前記室内機が設置された室内の側壁に沿って流通させ、１つの部屋を水平面で分割した上部の平均温度を、下部の平均温度よりも高くするとともに、前記吹出口の吹出し時の風速の増減によって室内の上部と下部との温度差を可変したことを特徴とする空気調和機。
【請求項４】
室内の中央下部の平均風速を０．５ｍ／ｓ以下にしたことを特徴とする請求項１〜請求項３のいずれかに記載の空気調和装置。
【発明の詳細な説明】
【技術分野】
【０００１】
本発明は、室内の空気を調和する空気調和機に関する。
【背景技術】
【０００２】
室内の空気を取り込んで調和し、調和空気を吹出口から送出する従来の空気調和機は特許文献１、２に開示されている。特許文献１に開示される空気調和機は、室内の複数の領域に赤外線センサを設け、各領域の温度を赤外線センサにより検知する。そして、検知温度に基づいて吹出気流の方向を可変して各領域の温度差を解消するようになっている。また、特許文献２に開示される空気調和機は、吹出口から上方に調和空気を送出することにより室内の温度を均一にすることができる。
【０００３】
一方、特許文献３には室内の離れた２箇所を集中的に空気調和する空気調和機が開示されている。この空気調和機は吹出口の上部から例えば左方に調和空気が送出され、下部から右方に調和空気が送出される。また、直列に配される第１、第２熱交換器を有し、第１、第２熱交換器を連結する第１、第２経路が分岐して設けられる。第１経路には開閉弁が設けられ、第２経路には膨張弁及びキャピラリーチューブが設けられる。
【０００４】
開閉弁を開いて膨張弁を閉じると第１、第２熱交換器は同じ冷却能力を有する。開閉弁を閉じて膨張弁を開くと冷凍サイクルを流通する冷媒がキャピラリーチューブを介して第２熱交換器に流入するため、第２熱交換器の冷却能力が第１熱交換器よりも高くなる。これにより、第１熱交換器を通過する空気が多く流通する吹出口上部から送出される空気は、吹出口下部から送出される空気よりも若干温度が高くなる。このため、空気調和機の左方上部の空間を高い温度にして、右方下部の空間を低い温度にできるようになっている。
【特許文献１】特公平７−８８９５７号
【特許文献２】特開２００３−２３２５６０号
【特許文献３】特開２００３−２４０３２５号
【発明の開示】
【発明が解決しようとする課題】
【０００５】
上記特許文献１、２に開示された空気調和機によると、室内が略均一な温度になる。このため、室内に複数の使用者がいた場合に、各使用者が快適と感じる温度が異なると各使用者に対して快適性を満たすことができない問題があった。また、特許文献２の従来例に記載されるように室内の温度分布を不均一な状態にしても、各使用者が快適と感じる温度に一致させることができない。
【０００６】
一方、特許文献３に開示された空気調和機によると、冷凍サイクルを流通する冷媒がキャピラリーチューブを通過するか否かによって第１、第２熱交換器の温度差が形成される。このため、集中的に空気調和する２つの空間の温度差が略一定する。その結果、一方の空間にいる使用者が快適と感じるように吹出し温度を制御した際に他方の空間の温度は連動して決められる。従って、他方の空間にいる使用者にとって快適と感じる温度になっていない場合があり、尚、各使用者に対して快適性を満たすことができない問題があった。
【０００７】
本発明は、室内の複数の使用者に対して快適性を満たすことのできる空気調和機を提供することを目的とする。
【課題を解決するための手段】
【０００８】
上記目的を達成するために本発明は、空気を送出する吹出口を有する室内機を備え、冷房運転時に前記吹出口から上方へ吹出して室内の天井壁に沿って流通させる気流と、前記吹出口から側方へ吹出して室内の側壁に沿って流通させる気流とを送出し、前記室内機を左右に分断する鉛直面で１つの部屋を左右に分割した一方の領域の平均温度を、他方の領域の平均温度よりも高くするとともに、前記吹出口から吹出して各前記領域を流通する風量の割合の増減によって各前記領域の温度差を可変したことを特徴としている。
【０００９】
また本発明は、空気を送出する吹出口を有する室内機を備え、冷房運転時に前記吹出口から正面上方へ吹出した気流を室内の天井壁に沿って流通させ、１つの部屋を鉛直面で分割した前記室内機に近い側の平均温度を、遠い側の平均温度よりも高くするとともに、前記吹出口の吹出し時の風速の増減によって前記室内機に近い側と遠い側との温度差を可変したことを特徴としている。
【００１０】
また本発明は、空気を送出する吹出口を有する室内機を備え、冷房運転時に前記吹出口から真下方向または下方後方へ吹出した気流を前記室内機が設置された室内の側壁に沿って流通させ、１つの部屋を水平面で分割した上部の平均温度を、下部の平均温度よりも高くするとともに、前記吹出口の吹出し時の風速の増減によって室内の上部と下部との温度差を可変したことを特徴としている。
【００１１】
また本発明は、上記構成の空気調和機において、室内の中央下部の平均風速を０．５ｍ／ｓ以下にしたことを特徴としている。
【発明の効果】
【００１２】
本発明によると、１つの部屋を左右、前後、上下等に分割した第１、第２領域をそれぞれ独立に温度制御するので、複数の使用者が快適と感じる温度が異なる場合でも各使用者の快適性を満たすことができる。
【００１３】
また本発明によると、室内機から送出した空気を室内の天井壁及び側壁の少なくとも一方に沿って流通させるので、室内の中央下部の居住域に直接冷気を浴びることなく空気調和を行うことができる。従って、使用者の健康を損ねることを防止することができる。
【００１４】
また本発明によると、吹出口から左右方向の一方の下方または水平方向に吹出す第１気流を該一方の側壁に沿って流通させるとともに、正面上方へ吹出す第２気流を室内の天井壁に沿って流通させるので、室内を左右に分割した第１、第２領域に簡単に温度差を設けることができる。また、室内の中央下部の居住域に直接冷気を浴びせないので使用者の健康を損ねることがない。
【００１５】
また本発明によると、第１気流の吹出し方向を前記鉛直面に対して２０゜以上傾斜したので、第２気流を吹出す側の側壁に確実に沿って流通させることができる。
【００１６】
また本発明によると、第１気流の吹出し時の風量が第２気流の吹出し時の風量よりも少ないので、熱交換器との熱交換により第１気流の温度が第２気流の温度よりも冷房運転時に低くなる。従って、第１気流を吹出す側を第１領域とすると、冷房運転時に第１領域の温度を容易に第２領域よりも低くすることができる。
【００１７】
また本発明によると、第１気流の吹出し時の風速が第２気流の吹出し時の風速よりも小さいので、第１気流を吹出す側を第１領域とすると、第１領域から第２領域に循環する調和空気の量が減少して第１領域に停滞する量が増加し、冷房運転時に第１領域の温度を容易に第２領域よりも低くすることができる。
【００１８】
また本発明によると、冷房運転時に第１気流の吹出し温度が第２気流の吹出し温度よりも低いので、第１気流を吹出す側を第１領域とすると、第１領域の温度を容易に第２領域よりも低くすることができる。
【００１９】
また本発明によると、第１気流の風量と第２気流の風量との割合の増減によって第１、第２領域の温度差を可変するので、左右に分割した第１、第２領域を簡単にそれぞれ独立して所望の温度に温度制御することができる。
【００２０】
また本発明によると、室内機に近い側の第１領域の平均温度を室内機に遠い側の第２領域の平均温度よりも高くしたので、簡単に第１、第２領域の温度差を設けることができる。
【００２１】
また本発明によると、第１、第２領域に温度差を設ける際に、吹出口から正面上方へ吹出す気流を室内の天井壁に沿って流通させるので、前後に分割した第１、第２領域で簡単に温度差を設けることができる。また、室内の中央下部の居住域に直接冷気を浴びせないので使用者の健康を損ねることがない。
【００２２】
また本発明によると、吹出口の吹出し時の風速の増減によって第１、第２領域の温度差を可変するので、前後に分割した第１、第２領域を簡単にそれぞれ独立して所望の温度に温度制御することができる。
【００２３】
また本発明によると、上部の第１領域の平均温度を下部の第２領域の平均温度よりも高くしたので、簡単に第１、第２領域の温度差を設けることができる。
【００２４】
また本発明によると、吹出口から真下方向または下方後方へ吹出す気流を室内機が設置された側壁に沿って流通させるので、上下に分割した第１、第２領域で簡単に温度差を設けることができる。また、室内の中央下部の居住域に直接冷気を浴びせないので使用者の健康を損ねることがない。
【００２５】
また本発明によると、吹出口の吹出し風速の増減によって第１、第２領域の温度差を可変するので、上下に分割した第１、第２領域を簡単にそれぞれ独立して所望の温度に温度制御することができる。
【００２６】
また本発明によると、室内の中央下部の平均風速を０．５ｍ／ｓにしたので、使用者の健康が損なわれることを防止できる。
【発明を実施するための最良の形態】
【００２７】
＜＜第１実施形態＞＞
以下に本発明の実施形態について図面を参照して説明する。図１は第１実施形態の空気調和機の室内機１を示す斜視図である。空気調和機の室内機１は、キャビネット２により本体部が保持されており、キャビネット２には上面側と前面側に吸込口４が設けられたフロントパネル３が着脱自在に取り付けられている。キャビネット２は後方側面に爪部（不図示）が設けられ、室内の側壁Ｗ１（図２参照）に取り付けられた取付板（不図示）に該爪部を係合して支持される。
【００２８】
フロントパネル３の前面下部には空気を送出する吹出口５が設けられている。吹出口５は水平方向に延びた矩形に形成されている。吹出口５は４枚の横ルーバ１１１ａ、１１１ｂ、１１１ｃ、１１１ｄにより塞がれている。横ルーバ１１１ａは吹出口５の向かって左半分を形成する左側吹出口５ａの上部を塞ぐ位置に配される。横ルーバ１１１ｂは吹出口５の右半分を形成する右側吹出口５ｂの上部を塞ぐ位置に配される。横ルーバ１１１ｃは左側吹出口５ａの下部を塞ぐ位置に配される。横ルーバ１１１ｄは右側吹出口５ｂの下部を塞ぐ位置に配される。
【００２９】
横ルーバ１１１ａ、１１１ｂ、１１１ｃ、１１１ｄは水平な回動軸を有し、駆動モータ（不図示）の駆動によってそれぞれ独立に回動する。従って、横ルーバ１１１ａ、１１１ｃは左側吹出口５ａから送出される気流の上下方向の風向を可変する。横ルーバ１１１ｂ、１１１ｄは右側吹出口５ｂから送出される気流の上下方向の風向を可変する。
【００３０】
図２は室内機１の側面断面図を示している。室内機１の内部には、吸込口４から吹出口５に連通する送風経路６が形成されている。送風経路６内には空気を送出する送風ファン７が配されている。送風ファン７として、例えば、クロスフローファン等を用いることができる。送風経路６は前方へ行くほど下方に向かって傾斜し、送風ファン７により送出される空気を前方下方に案内する前方案内部６ａを有している。また、送風経路６の上壁は前方案内部６ａの終端から前方へ行くほど上方に傾斜した傾斜面になっている。
【００３１】
前方案内部６ａには複数の縦ルーバ１２ａ（図３参照）、１２ｂが設けられている。図３は縦ルーバ１２ａ、１２ｂの上面図を示している。左側に配される複数の縦ルーバ１２ａはそれぞれ前方案内部６ａに略垂直な支軸１２ｄにより中央部を軸支され、後部が連結部材１２ｃにより連結されている。これにより、複数の縦ルーバ１２ａは連動して回動し、左側吹出口５ａから送出される気流の左右方向の風向を可変する。
【００３２】
同様に、右側に配される複数の縦ルーバ１２ｂはそれぞれ前方案内部６ａに略垂直な支軸１２ｆにより中央部を軸支され、後部が連結部材１２ｅにより連結されている。これにより、複数の縦ルーバ１２ｂは連動して回動し、右側吹出口５ｂから送出される気流の左右方向の風向を可変する。
【００３３】
図２において、フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。室内熱交換器９は屋外に配される室外機に設けられた圧縮機（不図示）に接続されており、圧縮機の駆動により冷凍サイクルが運転される。
【００３４】
冷凍サイクルの運転によって冷房運転時には室内熱交換器９が周囲温度よりも低温に冷却される。また、暖房運転時には、室内熱交換器９が周囲温度よりも高温に加熱される。尚、室内熱交換器９とエアフィルタ８との間には吸込口４から吸い込まれた空気の温度を検知する温度センサ６１が設けられ、室内機１の側部には空気調和機の駆動を制御する制御部（不図示）が設けられている。室内熱交換機９の前後の下部には冷房または除湿時に室内熱交換器９から落下した結露を補集するドレンパン１０が設けられている。
【００３５】
図４は本実施形態の空気調和機の動作をコントロールするためのリモートコントローラ３１を示す外観図である。リモートコントローラ３１は操作部３１ａ、表示部３１ｂ、発信部３１ｃを有している。操作部３１ａは複数の操作キーを有し、空気調和機の運転状態を操作入力する。
【００３６】
操作部３１ａの操作キーによって、室内の冷房運転、除湿運転、暖房運転に切り替えることができる。下部のカバー３１ｄを開くと別の操作キーが露出し、設定温度、風向、風速を設定することができる。また、室内を左右、前後、上下に二分割した第１、第２領域を別々に温度設定することができる。
【００３７】
表示部３１ｂは液晶表示パネル等から成り、空気調和機の運転状況、時刻、設定温度等を表示する。また、室内機１を設置した部屋Ｒの概略形状、室内機１の概略設置位置が模式的に斜視図により表示される。そして、例えば、室内機１に向かって左右、前後または上下に分割した第１、第２領域の設定温度を別々に設定することができる。また、発信部３１ｃは操作部３１ａによる操作信号を室内機１に発信する。
【００３８】
また、風速を「微風」、「弱風」、「強風」、「自動」等にユーザ設定することができる。これにより、手動で微風（６畳タイプの空気調和機で約４ｍ／ｓ）、弱風（同、約６ｍ／ｓ）、強風（同、約８ｍ／ｓ）等に可変することができる。また、「自動」に設定すると、運転状況に応じて微風、弱風、強風等に切り替えられる。
【００３９】
上記構成の空気調和機において、圧縮機（不図示）を駆動すると、室外機（不図示）からの冷媒が室内熱交換器９へ流れて冷凍サイクルが運転される。送風ファン７の駆動によって室内の空気は吸込口４から室内機１内に吸い込まれ、エアフィルタ８によって空気中に含まれる塵埃が除去される。
【００４０】
冷房運転時には、室内機１内に取り込まれた空気は低温側となる室内熱交換器９と熱交換して冷却される。室内熱交換器９で冷却された調和空気は、縦ルーバ１２ａ、１２ｂ、及び横ルーバ１１１ａ、１１１ｂ、１１１ｃ、１１１ｄによって左右方向および上下方向に向きを規制され室内に送出される。
【００４１】
＜第１の気流制御＞
室内の温度分布を均一にする場合は、第１の気流制御が行われる。図５に示すように上方の横ルーバ１１１ａ、１１１ｂは前方が上方になるように例えば水平に対して２０゜の角度で配置される。下方の横ルーバ１１１ｃ、１１１ｄは前方が若干下方となる斜め下方から略水平の間で例えば水平に対して５゜以下の角度で配置される。また、縦ルーバ１２ａ、１２ｂは前述の図３に示すように正面に向けて配置される。縦ルーバ１２ａ、１２ｂは前方を外側に向けて約５゜までの範囲で傾斜してもよい。そして、風速が「微風」に設定され、吹出口５から調和空気が送出される。
【００４２】
送風経路６を流通して吹出口５の上部から送出される空気は横ルーバ１１１ａ、１１１ｂに沿って斜め上方に導かれる。送風経路６を流通して吹出口５の下部から送出される空気は横ルーバ１１１ｃ、１１１ｄに沿って若干下方または略水平に導かれる。この時、送風ファン７によって送風経路６内を図中、時計回りに旋回して流通する空気は、内周側となる送風経路６の上部の風量が多くなる。このため、吹出口５の下部から送出される空気は上部から送出される空気に沿う。その結果、吹出口５から矢印Ｂに示すように斜め上方に向かって調和空気が送出される。
【００４３】
下方の横ルーバ１１１ｃ、１１１ｄを前方へ行くほど上方になるように配置して空気を上方に導いてもよいが、横ルーバ１１１ｃ、１１１ｄの下面に沿って流通する調和空気が減少する。このため、横ルーバ１１１ｃ、１１１ｄの上面と下面との間に温度差が生じて結露する場合がある。従って、横ルーバ１１１ｃ、１１１ｄを斜め下方から略水平の間に配置する方がより望ましい。
【００４４】
吹出口５から斜め上方に送出された空気は、コアンダ効果により天井壁Ｓに沿って流通し、拡散しながら室内機１に対向する側壁Ｗ２（図１６参照）に到達する。そして、側壁Ｗ２に沿って降下し、床面Ｆ（図１６参照）を流通して部屋Ｒ内の全体を調和空気が流通する。これにより、室内が均一な温度に冷房運転される。
【００４５】
尚、詳細を後述するように、吹出口５から送出される空気の風速を大きくすると、冷房運転時に調和空気が低温を維持して遠くまで導かれる。このため、室内機１から遠い側が近い側よりも低温になる。
【００４６】
＜第２の気流制御＞
次に、操作部３１ａにより室内を左右に分割した各領域を異なる温度に設定した場合は、第２の気流制御が行われる。前述の図４に示すリモートコントローラ３１の表示部３１ｂは、室内機１に向かって左側の第１領域Ｅ１（図１０参照）の設定温度を２４℃に設定し、右側の第２領域Ｅ２（図１０参照）の設定温度を２６℃に設定した状態を表わしている。第１、第２領域Ｅ１、Ｅ２は室内機１を左右に分断する鉛直面によって分割されている。
【００４７】
この設定温度で冷房運転を開始すると、縦ルーバ１２ａ、１２ｂは図６に示すように配置される。即ち、右側の縦ルーバ１２ｂは正面に向かう方向に配置される。左側の縦ルーバ１２ａは前方に行くほど左方に例えば４０゜傾斜して配置される。縦ルーバ１２ａよりも傾斜角の小さい範囲で右側の縦ルーバ１２ｂを前方に行くほど若干右方に例えば５゜傾斜して配置してもよい。
【００４８】
右側の横ルーバ１１１ｂ、１１１ｄは、前述の図５と同様に配置される。即ち、上方の横ルーバ１１１ｂは前方が上方になるように例えば水平に対して２０゜の角度で配置される。下方の横ルーバ１１１ｄは前方が若干下方となる斜め下方から略水平の間の例えば水平に対して５゜以下の角度で配置される。また、左側の横ルーバ１１１ａ、１１１ｃは図７に示すように配置される。即ち、横ルーバ１１１ａ、１１１ｃは回動して前方に行くほど若干下方となる斜め下方から略水平の間に配置される。例えば、横ルーバ１１１ａが水平に配置され、横ルーバ１１１ｃは水平に対して１０゜前方が下方になるように配置される。図８はこの状態を示す室内機１の斜視図を示している。
【００４９】
そして、第１の気流制御と同様に風速が「微風」に設定され、送風ファン７を駆動して調和空気が吹出口５から図９に示すように送出される。即ち、左側吹出口５ａからは、調和空気が矢印Ａに示すように左方の略水平または左方の若干下方に向けて送出される。また、室内機１を分断する鉛直面に対して傾斜角αだけ左方に傾斜して送出される。右側吹出口５ｂからは、調和空気が矢印Ｂに示すように正面の斜め上方に向けて送出される。
【００５０】
図１０は室内に送出された空気の流通状態を示している。右側吹出口５ｂから送出される空気（Ｂ）の気流（以下、「第２気流」という）は左右に拡散しながらコアンダ効果により天井壁Ｓに沿って流通して徐々に速度を低下させる。そして、室内機１に対向する側壁Ｗ２の広い範囲に沿って降下する。
【００５１】
左側吹出口５ａから送出される空気（Ａ）の気流（以下、「第１気流」という）は室内機１に向かって左側の側壁Ｗ３に沿って流通し、側壁Ｗ２に到達する。そして、第２気流は第１気流と合流して床面Ｆを流通する。
【００５２】
第１気流の傾斜角α（図９参照）は２０゜以上にするとよい。図１０の部屋Ｒを６畳間として短い方の側壁Ｗ１の中央に室内機１を設けると、室内機１の中央から側壁Ｗ２、Ｗ３が交わるコーナーに向かう方向は側壁Ｗ１に垂直な鉛直面に対して約２０゜傾斜する。従って、第１気流の傾斜角αを２０゜以上にすると、確実に第１気流を側壁Ｗ３に沿わせることができる。部屋Ｒが８畳間の場合や室内機１を正面にして横長の場合は傾斜角αを２０゜よりも大きくすることにより側壁Ｗ３に沿わせることができる。
【００５３】
第２気流（Ｂ）は正面に向かって送出されるため、第２気流（Ｂ）によって部屋Ｒの左側の第１領域Ｅ１と右側の第２領域Ｅ２とが同等の冷却能力で冷却される。一方、第１気流（Ａ）は左方に向かって送出されるため、第１気流（Ａ）によって部屋Ｒの左側の第１領域Ｅ１が第２領域Ｅ２よりも多く冷却される。その結果、第１領域Ｅ１の平均温度は第２領域Ｅ２の平均温度よりも低くなる。
【００５４】
例えば、左側吹出口５ａ及び右側吹出口５ｂから１／２ずつの調和空気が送出されると、第２気流によって第１、第２領域はそれぞれ吹出口５から送出された調和空気の１／４ずつの冷却能力で冷却される。また、第１気流によって第１領域は吹出口５から送出された調和空気の略１／２の冷却能力で冷却される。これにより、第１領域には吹出口５から送出された調和空気の３／４の冷却能力が供給される。
【００５５】
また、前述の図６に示すように縦ルーバ１２ａは傾斜するため、左側吹出口５ａから送出される第１気流（Ａ）は縦ルーバ１２ａによる圧力損失の増加及び断面積の減少等により風量が減少する。このため、室内熱交換器９との熱交換によって第２気流よりも第１気流（Ａ）の温度が低くなる。従って、第１領域Ｅ１の平均温度を第２領域Ｅ２の平均温度よりも更に低くすることができる。
【００５６】
図１１〜図１４は、第２の気流制御時の部屋Ｒ内の温度分布を示している。部屋Ｒの大きさは６畳（高さ２４００ｍｍ、横３６００ｍｍ、奥行き２７００ｍｍ）である。図１１〜図１４は図１０の一点鎖線Ｄ１、Ｄ２及び二点鎖線Ｄ３、Ｄ４のそれぞれの断面の測定結果を示している。
【００５７】
尚、Ｄ１断面は、側壁Ｗ３に平行かつ側壁Ｗ３から６７５ｍｍの位置であり、部屋Ｒの室内機１に向かって左側１／４の位置の断面である。Ｄ２断面は、側壁Ｗ３に対向する側壁Ｗ４に平行かつ側壁Ｗ４から６７５ｍｍの位置であり、部屋Ｒの室内機１に向かって右側１／４の位置の断面である。Ｄ３断面は、側壁Ｗ１に平行かつ側壁Ｗ１から１２００ｍｍの位置であり、部屋Ｒの室内機１に向かって前方１／３の位置の断面である。Ｄ４断面は、側壁Ｗ１に対向する側壁Ｗ２に平行かつ側壁Ｗ２から１２００ｍｍの位置であり、部屋Ｒの室内機１に向かって後方１／３の位置の断面である。
【００５８】
これらの図によると、部屋Ｒの室内機１に向かって左側の第１領域Ｅ１が約２４℃に温度制御されている。また、室内機１に向かって右側の第２領域Ｅ２が約２６℃に温度制御されている。従って、第１、第２領域Ｅ１、Ｅ２の温度差を約２℃設けることができる。
【００５９】
このとき、部屋Ｒの下方中央部の居住空間には空気が側壁Ｗ２から側壁Ｗ１の方向に向かって流通する。このため、吹出口５から送出された空気は減速され、第１領域Ｅ１の風速が０．１ｍ／ｓ以下であり、第２領域Ｅ２の風速が約０．２ｍ／ｓになっている。従って、居住空間に冷気が直接降り注ぐことがなく、極めて低速の気流が流れるため使用者の健康を損なうことを防止することができる。尚、風速が０．５ｍ／ｓ以下であれば使用者にはほとんど無風に感じられる。このため、居住空間の風速が０．５ｍ／ｓ以下になるように送風ファン７の回転数が決められる。
【００６０】
また、第１気流（Ａ）の風量は２．５ｍ3／ｍｉｎ、風速は３ｍ／ｓ、吹出温度は１０℃であり、第２気流（Ｂ）の風量は５ｍ3／ｍｉｎ、風速は６ｍ／ｓ、吹出温度は１５℃である。前述したように、圧力損失等により風量及び風速が異なり、第１気流（Ａ）の吹出し温度が低くなっている。また、第１気流の風速が低いため、第１領域Ｅ１から第２領域Ｅ２に循環する調和空気の量が減少して第１領域Ｅ１に停滞する量が増加する。これにより、より簡単に第１領域Ｅ１の温度を第２領域Ｅ２よりも低くすることができる。
【００６１】
熱交換器９を左右に分割してそれぞれの熱交換器を異なる温度にして第１、第２気流の温度差を設けてもよい。また、送風ファン７を左右に分割してそれぞれの送風ファンを異なる回転数にして第１、第２気流を異なる風速及び風量にしてもよい。これらにより、第１、第２領域の温度をより細かく調節することができる。
【００６２】
また、吹出口５の左右の左側吹出口５ａと右側吹出口５ｂから異なる方向に調和空気を送出するので、快適性を向上することができる。即ち、吹出口５の上下から異なる方向に調和空気を送出すると、横ルーバの上下面に温度差が発生する。これにより、横ルーバに結露が生じ、使用者に水が吹きかかったり、部屋を水浸しにして使用者を不快にする場合がある。これに対し、左側吹出口５ａと右側吹出口５ｂから異なる方向に調和空気を送出すると、横ルーバ１１１ａ〜１１１ｄの上下面の温度差発生が抑制され、結露を防止して快適性が向上する。
【００６３】
＜第３の気流制御＞
リモートコントローラ３１の操作によって第１、第２領域Ｅ１、Ｅ２の温度差を更に大きく設定した場合は、第３の気流制御が行われる。第３の気流制御では縦ルーバ１２ａ及び横ルーバ１１１ａ〜１１１ｄは第２の気流制御の場合と同様に配置される。右側の縦ルーバ１２ｂは前方が内側（左側）に向けて傾斜して配置される。
【００６４】
縦ルーバ１２ｂは前方が内側（左側）に向けて傾斜して配置されるため、右側吹出口５ｂから送出される第２気流（Ｂ）は、部屋Ｒの右側の第２領域Ｅ２よりも左側の第１領域Ｅ１により多く送出される。このため、部屋Ｒの右側の第２領域Ｅ２よりも左側の第１領域Ｅ１に多くの冷却能力がもたらされる。但し、吹出口５から送出される全体の空気量が減少するために送風ファン７の回転数を増加して風量が増加される。また、第１、第２領域Ｅ１、Ｅ２の絶対的な室温は圧縮機（不図示）の回転数を可変して調整される。
【００６５】
例えば、第１、第２領域Ｅ１、Ｅ２の設定温度がそれぞれ２３℃、２６℃の場合は、第１の気流制御に対して右側の縦ルーバ１２ｂは前方が内側（左側）に向けて１０°傾斜して配置される。また、送風ファン７の回転数は１１０％に設定され、圧縮機（不図示）の回転数は１０５％に設定される。
【００６６】
第１、第２領域Ｅ１、Ｅ２の設定温度がそれぞれ２２℃、２６℃の場合は、第１の気流制御に対して右側の縦ルーバ１２ｂは前方が内側（左側）に向けて２０°傾斜して配置される。また、送風ファン７の回転数は１２０％に設定され、圧縮機（不図示）の回転数は１１０％に設定される。
【００６７】
上記の通り、縦ルーバ１２ｂの傾斜角αを内側（左側）に向けて傾斜して配置し、第２気流（Ｂ）の第１領域Ｅ１に送出される風量を増加することにより第１領域Ｅ１の冷却能力が増加し、第２の気流制御に比して第１領域Ｅ１の温度が低くなる。これにより、第１、第２領域Ｅ１、Ｅ２の温度差を大きくすることができる。従って、第２気流（Ｂ）の風向により第１領域Ｅ１及び第２領域Ｅ２に送出される風量の割合を増減することによって、第１、第２領域Ｅ１、Ｅ２を独立して所望の温度に温度制御することができる。
【００６８】
また、左右に２分割した縦ルーバ１２ａ、１２ｂ及び横ルーバ１１１ａ〜１１１ｄを更に細分化することにより第１気流の割合を増減してもよい。送風ファンを左右に設けて個別に第１、第２気流の風量を可変してもよい。
【００６９】
尚、第２、第３の気流制御において第１領域Ｅ１を第２領域Ｅ２よりも低温にした場合を説明しているが、縦ルーバ１２ａ、１２ｂ及び横ルーバ１１１ａ〜１１１ｄを上記と左右対称に配置することで第２領域Ｅ２を第１領域Ｅ１よりも低温にすることができる。
【００７０】
＜第４の気流制御＞
次に、操作部３１ａにより室内を前後に分割した各領域を異なる温度に設定した場合は、第４の気流制御が行われる。図１５はリモートコントローラ３１の操作によって室内機１に近い側の第１領域Ｅ３（図１６参照）の設定温度を２６℃に設定し、遠い側の第２領域Ｅ４（図１６参照）の設定温度を２４℃に設定した状態を表わしている。第１、第２領域Ｅ３、Ｅ４は部屋Ｒの中央部を分断する鉛直面によって分割されている。
【００７１】
この設定温度で冷房運転を開始すると、縦ルーバ１２ａ、１２ｂは前述の図３と同様に、正面に向けて配置される。縦ルーバ１２ａ、１２ｂは前方を外側に向けて約５゜までの範囲で傾斜してもよい。また、横ルーバ１１１ａ、１１１ｂ、１１１ｃ、１１１ｄは、前述の図５と同様に配置される。即ち、上方の横ルーバ１１１ａ、１１１ｂは前方が上方になるように例えば水平に対して２０゜の角度で配置される。下方の横ルーバ１１１ｃ、１１１ｄは前方が若干下方となる斜め下方から略水平の間で例えば水平に対して５゜以下の角度で配置される。
【００７２】
そして、送風ファン７の回転数が第１の気流制御時に対して１４０％に設定され、調和空気が吹出口５から斜め上方に送出される。この時、吹出し風速は「弱風」（６畳タイプの空気調和機の場合は例えば６ｍ／ｓ）と同等になっている。図１６に示すように、吹出口５から斜め上方に送出された空気は、コアンダ効果により天井壁Ｓに沿って流通し、拡散しながら室内機１に対向する側壁Ｗ２に到達する。そして、側壁Ｗ２に沿って降下し、床面Ｆを流通する。
【００７３】
この時、吹出し風速が大きいため、調和空気は天井壁Ｓに沿って流通する間に昇温されず、低温を維持して遠くまで到達する。このため、室外機１から近い側の第１領域Ｅ３の平均温度が遠い側の第２領域Ｅ４の平均温度よりも高くなる。
【００７４】
図１７は、第４の気流制御時の部屋Ｒ内の温度分布を示している。部屋Ｒの大きさは上記と同様に６畳（高さ２４００ｍｍ、横３６００ｍｍ、奥行き２７００ｍｍ）である。また、図１７は図１６に示す一点鎖線Ｄで示した部屋Ｒの中央断面の測定結果を示している。
【００７５】
同図によると、部屋Ｒの室内機１に近い側の第１領域Ｅ３が約２６℃に温度制御されている。また、室内機１から遠い側の第２領域Ｅ４が約２４℃に温度制御されている。従って、第１、第２領域Ｅ３、Ｅ４の温度差を約２℃設けることができる。
【００７６】
このとき、部屋Ｒの下方中央部の居住空間には空気が側壁Ｗ２から側壁Ｗ１の方向に向かって流通する。このため、吹出口５から送出された空気は減速され、居住空間の風速は０．１ｍ／ｓ以下になっている。従って、居住空間に冷気が直接降り注ぐことがなく、極めて低速の気流が流れるため使用者の健康を損なうことを防止することができる。
【００７７】
＜第５の気流制御＞
リモートコントローラ３１の操作によって第１、第２領域Ｅ３、Ｅ４の温度差を更に大きく設定した場合は、第５の気流制御が行われる。第５の気流制御では、縦ルーバ１２ａ、１２ｂ及び横ルーバ１１１ａ〜１１１ｄは第４の気流制御の場合と同様に配置される。送風ファン７の回転数は増加され、吹出し気流の風速が増加される。また、第１、第２領域Ｅ３、Ｅ４の絶対的な室温は圧縮機（不図示）の回転数を可変して調整される。
【００７８】
例えば、第１、第２領域Ｅ３、Ｅ４の設定温度がそれぞれ２３℃、２６℃の場合は、第１の気流制御に対して送風ファン７の回転数は１５０％に設定され、圧縮機（不図示）の回転数は１０５％に設定される。また、第１、第２領域Ｅ３、Ｅ４の設定温度がそれぞれ２２℃、２６℃の場合は、第１の気流制御に対して送風ファン７の回転数は１６０％に設定され、圧縮機（不図示）の回転数は１１０％に設定される。
【００７９】
吹出口５から送出される風速が増加すると、低温の調和空気がより遠くまで到達する。これにより、第１、第２領域Ｅ３、Ｅ４の温度差をより大きくすることができる。従って、吹出し時の風速を可変することにより、第１、第２領域Ｅ３、Ｅ４を独立して所望の温度に温度制御することができる。
【００８０】
＜第６の気流制御＞
次に、操作部３１ａにより室内を上下に分割した各領域を異なる温度に設定した場合は、第６の気流制御が行われる。図１８はリモートコントローラ３１の操作によって室内の上部の第１領域Ｅ５（図２０参照）の設定温度を２６℃に設定し、遠い側の第２領域Ｅ６（図２０参照）の設定温度を２４℃に設定した状態を表わしている。第１、第２領域Ｅ５、Ｅ６は部屋Ｒの中央部を分断する水平面によって分割されている。
【００８１】
この設定温度で冷房運転を開始すると、縦ルーバ１２ａ、１２ｂは前述の図３と同様に、正面に向けて配置される。縦ルーバ１２ａ、１２ｂは前方を外側に向けて約５゜までの範囲で傾斜してもよい。また、横ルーバ１１１ａ、１１１ｂ、１１１ｃ、１１１ｄは、図１９に示すように配置される。即ち、上方の横ルーバ１１１ａ、１１１ｂは回動して吹出口５の上部を遮蔽するように配置される。下方の横ルーバ１１１ｃ、１１１ｄは回動して下端が上端に対して略真下方向から後方下方の間になるように設定される。
【００８２】
そして、送風ファン７の回転数が第１の気流制御時に対して８０％に設定され、調和空気が吹出口５から略真下方向または下方後方に送出される。この時、吹出し風速は「微風」よりも小さくなっている。図２０に示すように、吹出口５から略真下方向または下方後方に送出された空気は、室内機１が設置される側壁Ｗ１に沿って降下し、床面Ｆを流通する。
【００８３】
この時、吹出し時の風速が大きいと床面Ｆを流通した空気は側壁Ｗ２を上昇して循環されるが、吹出し時の風速が小さいため低温の空気が比重により床面Ｆに停滞して側壁Ｗ１及び床面Ｆ近傍が低温となる。このため、室外機１の上部の第１領域Ｅ５の平均温度が下部の第２領域Ｅ６の平均温度よりも高くなる。
【００８４】
図２１は、上記の気流制御時の部屋Ｒ内の温度分布を示している。部屋Ｒの大きさは上記と同様に６畳（高さ２４００ｍｍ、横３６００ｍｍ、奥行き２７００ｍｍ）である。また、図２１は図２０に示す一点鎖線Ｄで示した部屋Ｒの中央断面の測定結果を示している。
【００８５】
同図によると、部屋Ｒの天井側の第１領域Ｅ５が約２５℃〜２７℃になっており、平均温度が約２６℃に温度制御されている。また、部屋Ｒの床面Ｆ側の第２領域Ｅ６が約２３℃〜２５℃になっており、平均温度が約２４℃に温度制御されている。従って、第１、第２領域Ｅ５、Ｅ６の温度差を約２℃設けることができる。
【００８６】
このとき、吹出口５から低速で送出された空気は側壁Ｗ１に沿って流通する際に減速され、部屋Ｒの下方中央部の居住空間の風速は０．１ｍ／ｓ以下になっている。また、部屋Ｒの上部まで気流が届かないため上部の風速も０．１ｍ／ｓ以下になっている。従って、居住空間に冷気が直接降り注ぐことがなく、極めて低速の気流が流れるため使用者の健康を損なうことを防止することができる。
【００８７】
＜第７の気流制御＞
リモートコントローラ３１の操作によって第１、第２領域Ｅ５、Ｅ６の温度差を更に大きく設定した場合は、第７の気流制御が行われる。第７の気流制御では縦ルーバ１２ａ、１２ｂ及び横ルーバ１１１ａ〜１１１ｄは第６の気流制御の場合と同様に配置される。送風ファン７の回転数は減少され、吹出し気流の風速が低下される。また、第１、第２領域Ｅ５、Ｅ６の絶対的な室温は圧縮機（不図示）の回転数を可変して調整される。
【００８８】
例えば、第１、第２領域Ｅ５、Ｅ６の設定温度がそれぞれ２３℃、２６℃の場合は、第１の気流制御に対して送風ファン７の回転数は７０％に設定され、圧縮機（不図示）の回転数は１０５％に設定される。また、第１、第２領域Ｅ５、Ｅ６の設定温度がそれぞれ２２℃、２６℃の場合は、第１の気流制御に対して送風ファン７の回転数は６０％に設定され、圧縮機（不図示）の回転数は１１０％に設定される。
【００８９】
吹出口５から送出される調和空気の風速が低下すると、低温の調和空気が対向する側壁Ｗ２を更に上昇しなくなる。これにより、第１、第２領域Ｅ５、Ｅ６の温度差をより大きくすることができる。従って、吹出し時の風速を可変することにより、第１、第２領域Ｅ５、Ｅ６を独立して所望の温度に温度制御することができる。
【００９０】
本実施形態によると、室内を分割した第１領域Ｅ１、Ｅ３、Ｅ５と、第２領域Ｅ２、Ｅ４、Ｅ６とを略等しい温度にすることができるとともに、それぞれを独立して所望の温度に温度制御することができる。従って、複数の使用者が快適と感じる温度が異なる場合でも各使用者が第１、第２領域に分かれて各使用者の快適性を満たすことができる。
【００９１】
例えば、従来であれば冷房運転時に２２℃の環境を好む使用者と２８℃の環境を好む使用者が１つの部屋にいる場合に、後者に合わせて設定温度を２８℃にして前者に冷気を直接当て続ける。これにより、前者は冷気を直接浴び続けて体調を損ねる。また、前者に合わせて設定温度を２２℃にして後者に衣服を多く着用させる。これにより、後者が長期間にわたりその部屋にいると所謂「底冷え」を感じて体調を損ねる。本実施形態は、両者の体調を損ねることを防止して快適な環境を提供することができる。
【００９２】
＜＜第２実施形態＞＞
次に、図２２は第２実施形態の空気調和機の室内機１を示す斜視図である。説明の便宜上、前述の図１〜図２１に示す第１実施形態と同様の部分には同一の符号を付している。本実施形態は第１実施形態の横ルーバ１１１ａ、１１１ｂ、１１１ｃ、１１１ｄに替えて横ルーバ１１２ａ、１１２ｂ、１１２ｃが設けられる。その他の部分は第１実施形態と同様である。
【００９３】
横ルーバ１１２ａは左側吹出口５ａの上部を塞ぐ位置に配される。横ルーバ１１２ｂは右側吹出口５ｂの上部を塞ぐ位置に配される。横ルーバ１１２ｃは吹出口５の下部を塞ぐ位置に配される。横ルーバ１１２ａ、１１２ｂ、１１２ｃは水平な回動軸を有し、駆動モータ（不図示）の駆動によってそれぞれ独立に回動する。従って、横ルーバ１１２ｃの左部分及び横ルーバ１１２ａは左側吹出口５ａから送出される気流の上下方向の風向を可変する。横ルーバ１１２ｃの右部分及び横ルーバ１１２ｂは右側吹出口５ｂから送出される気流の上下方向の風向を可変する。
【００９４】
第１の気流制御を行う場合は、縦ルーバ１２ａ、１２ｂが前述の図３に示すように配置される。横ルーバ１１２ａ、１１２ｂ、１１２ｃは回動して前述の図５に示す横ルーバ１１１ａ、１１１ｂ、１１１ｃと同様に配置される。これにより、冷房運転時に第１実施形態と同様に調和空気を送出して、冷房運転時の室内の温度を均一にすることができる。
【００９５】
第２の気流制御を行う場合は、縦ルーバ１２ａ、１２ｂが前述の図６に示すように配置される。横ルーバ１１２ｂ、１１２ｃは第１の気流制御と同様に配置される。横ルーバ１１２ａは回動して前述の図７に示す横ルーバ１１１ａと同様に配置される。図２３はこの時の室内機１を示す斜視図である。これにより、冷房運転時に第１実施形態と同様に調和空気を送出して、室内を左右に分割した第１、第２領域Ｅ１、Ｅ２（図１０参照）が異なる温度に制御される。
【００９６】
尚、前述したように、送風経路６の上部を流通する空気量が下部を流通する空気量よりも多い。このため、下方の横ルーバ１１２ｃが左右で同じ角度になっても第１実施形態と同様に左側吹出口５ａと右側吹出口５ｂとで上下に異なる方向に気流を送出することができる。
【００９７】
第３の気流制御を行う場合は、縦ルーバ１２ａ及び横ルーバ１１２ａ〜１１２ｃは第２の気流制御の場合と同様に配置される。右側の縦ルーバ１２ｂは前方を内側（左側）に向けて１０゜以上傾斜して配置される。また、送風ファン７の回転数を増加して風量が増加される。これにより、冷房運転時に第１実施形態と同様に調和空気を送出して、室内を左右に分割した第１、第２領域Ｅ１、Ｅ２（図１０参照）の温度差を大きくすることができる。従って、室内を左右に分割した第１、第２領域Ｅ１、Ｅ２を独立して温度制御することができる。
【００９８】
第４の気流制御を行う場合は、縦ルーバ１２ａ、１２ｂが前述の図３に示すように配置される。横ルーバ１１２ａ、１１２ｂ、１１２ｃは回動して前述の図５に示す横ルーバ１１１ａ、１１１ｂ、１１１ｃと同様に配置される。これにより、冷房運転時に第１実施形態と同様に調和空気を送出して、室内を前後に分割した第１、第２領域Ｅ３、Ｅ４（図１６参照）が異なる温度に制御される。
【００９９】
第５の気流制御を行う場合は、縦ルーバ１２ａ、１２ｂ及び横ルーバ１１２ａ、１１２ｂ、１１２ｃは第４の気流制御と同様に配置される。そして、冷房運転時に第１実施形態と同様に風速を増大して調和空気を送出し、室内を前後に分割した第１、第２領域Ｅ３、Ｅ４（図１６参照）の温度差を大きくすることができる。従って、室内を前後に分割した第１、第２領域Ｅ３、Ｅ４を独立して温度制御することができる。
【０１００】
第６の気流制御を行う場合は、縦ルーバ１２ａ、１２ｂが前述の図３に示すように配置される。横ルーバ１１２ａ、１１２ｂ、１１２ｃは回動して前述の図１９に示す横ルーバ１１１ａ、１１１ｂ、１１１ｃと同様に配置される。これにより、冷房運転時に第１実施形態と同様に調和空気を送出して、室内を上下に分割した第１、第２領域Ｅ５、Ｅ６（図２０参照）が異なる温度に制御される。
【０１０１】
第７の気流制御を行う場合は、縦ルーバ１２ａ、１２ｂ及び横ルーバ１１２ａ、１１２ｂ、１１２ｃは第６の気流制御と同様に配置される。そして、冷房運転時に第１実施形態と同様に風速を低下して調和空気を送出し、室内を上下に分割した第１、第２領域Ｅ５、Ｅ６（図２０参照）の温度差を大きくすることができる。従って、室内を前後に分割した第１、第２領域Ｅ５、Ｅ６を独立して温度制御することができる。
【０１０２】
＜＜第３実施形態＞＞
次に、図２４は第３実施形態の空気調和機の室内機１を示す斜視図である。前述の図１〜図２１に示す第１実施形態と同様の部分には同一の符号を付している。本実施形態は第１の実施形態の横ルーバ１１１ａ、１１１ｂ、１１１ｃ、１１１ｄに替えて横ルーバ１１３ａ、１１３ｂが設けられる。その他の部分は第１実施形態と同様である。
【０１０３】
横ルーバ１１３ａは吹出口５の上部を塞ぐ位置に配される。横ルーバ１１３ｂは吹出口５の下部を塞ぐ位置に配される。横ルーバ１１３ａ、１１３ｂは水平な回動軸を有し、駆動モータ（不図示）の駆動によってそれぞれ独立に回動する。また、横ルーバ１１３ａ、１１３ｂは柔軟な可撓性材料から成り、駆動モータによって両端の回転軸にそれぞれ逆方向の回転トルクを加えることができる。これにより、横ルーバ１１３ａ、１１３ｂは図２５に示すように捻ることができるようになっている。
【０１０４】
従って、横ルーバ１１３ａ、１１３ｂの左部分は左側吹出口５ａから送出される気流の上下方向の風向を可変する。横ルーバ１１３ａ、１１３ｂの右部分は右側吹出口５ｂから送出される気流の上下方向の風向を可変する。
【０１０５】
第１の気流制御を行う場合は、縦ルーバ１２ａ、１２ｂが前述の図３に示すように配置される。横ルーバ１１３ａ、１１３ｂは回動して前述の図５に示す横ルーバ１１１ａ、１１１ｃと同様に配置される。これにより、冷房運転時に第１実施形態と同様に調和空気を送出して、冷房運転時の室内の温度を均一にすることができる。
【０１０６】
第２の気流制御を行う場合は、縦ルーバ１２ａ、１２ｂが前述の図６に示すように配置される。横ルーバ１１３ａ、１１３ｂの右部分は第１の気流制御と同様に配置される。横ルーバ１１３ａ、１１３ｂの左部分は捻られて前述の図７に示す横ルーバ１１１ａ、１１１ｃと同様に配置される。図２６はこの時の室内機１を示す斜視図である。これにより、冷房運転時に第１実施形態と同様に調和空気を送出して、室内を左右に分割した第１、第２領域Ｅ１、Ｅ２（図１０参照）が異なる温度に制御される。
【０１０７】
第３の気流制御を行う場合は、縦ルーバ１２ａ及び横ルーバ１１３ａ、１１３ｂは第２の気流制御の場合と同様に配置される。右側の縦ルーバ１２ｂは前方を内側（左側）に向けて１０゜以上傾斜して配置される。また、送風ファン７の回転数を増加して風量が増加される。これにより、冷房運転時に第１実施形態と同様に調和空気を送出して、室内を左右に分割した第１、第２領域Ｅ１、Ｅ２（図１０参照）の温度差を大きくすることができる。従って、室内を左右に分割した第１、第２領域Ｅ１、Ｅ２を独立して温度制御することができる。
【０１０８】
第４の気流制御を行う場合は、縦ルーバ１２ａ、１２ｂが前述の図３に示すように配置される。横ルーバ１１３ａ、１１３ｂは回動して前述の図５に示す横ルーバ１１１ａ、１１１ｃと同様に配置される。これにより、冷房運転時に第１実施形態と同様に調和空気を送出して、室内を前後に分割した第１、第２領域Ｅ３、Ｅ４（図１６参照）が異なる温度に制御される。
【０１０９】
第５の気流制御を行う場合は、縦ルーバ１２ａ、１２ｂ及び横ルーバ１１３ａ、１１３ｂは第４の気流制御と同様に配置される。そして、冷房運転時に第１実施形態と同様に風速を増大して調和空気を送出し、室内を前後に分割した第１、第２領域Ｅ３、Ｅ４（図１６参照）の温度差を大きくすることができる。従って、室内を前後に分割した第１、第２領域Ｅ３、Ｅ４を独立して温度制御することができる。
【０１１０】
第６の気流制御を行う場合は、縦ルーバ１２ａ、１２ｂが前述の図３に示すように配置される。横ルーバ１１３ａ、１１３ｂは回動して前述の図１９に示す横ルーバ１１１ａ、１１１ｃと同様に配置される。これにより、冷房運転時に第１実施形態と同様に調和空気を送出して、室内を上下に分割した第１、第２領域Ｅ５、Ｅ６（図２０参照）が異なる温度に制御される。
【０１１１】
第７の気流制御を行う場合は、縦ルーバ１２ａ、１２ｂ及び横ルーバ１１３ａ、１１３ｂは第６の気流制御と同様に配置される。そして、冷房運転時に第１実施形態と同様に風速を低下して調和空気を送出し、室内を上下に分割した第１、第２領域Ｅ５、Ｅ６（図２０参照）の温度差を大きくすることができる。従って、室内を前後に分割した第１、第２領域Ｅ５、Ｅ６を独立して温度制御することができる。
【０１１２】
＜＜第４実施形態＞＞
次に、図２７は第４実施形態の空気調和機の室内機１の設置状態を示す斜視図である。説明の便宜上、前述の図１〜図２１に示す第１実施形態と同様の部分には同一の符号を付している。本実施形態の空気調和機は所謂コーナーエアコンになっており、第１実施形態と同様の室内機１が部屋Ｒの隣接する２側壁Ｗ５、Ｗ６が交差したコーナーＬの天井壁Ｓに接する位置に取り付られる。
【０１１３】
同図は第２の気流制御を行った際の気流を示している。室内機１の縦ルーバ、横ルーバは第１実施形態と同様に配置される。室内機１の右側吹出口５ｂから送出される第２気流（Ｂ）は天井面Ｓを流通して室内機１に対向する側壁Ｗ７、Ｗ８を降下し、床面Ｆを流通する。室内機１の左側吹出口５ａから送出される第１気流（Ａ）は室内機１を正面に見て左側の側壁Ｗ６に沿って流通する。そして、室内機１に対向する側壁Ｗ７に到達して第１気流とともに床面Ｆを流通する。
【０１１４】
従って、第１実施形態と同様に、部屋Ｒの対角線上の室内機１を分断する鉛直面により分割された第１、第２領域Ｅ１、Ｅ２が異なる温度に制御される。また、他の気流制御においても第１実施形態と同様に室内を温度制御することができる。尚、第２、第３実施形態の室内機１をコーナーＬの天井壁Ｓに接する位置に取り付けてコーナーエアコンにしてもよい。
【０１１５】
第１〜第４実施形態において、前述の図４に示すリモートコントローラ３１の表示部３１ａには部屋Ｒの概略形状及び室内機１の概略設置位置が模式的な斜視図で表示されている。表示部３１ａの表示画面はこれに限られず他の画面を表示してもよい。例えば、図２８に示すように、「左２６℃、右２４℃」、「前２６℃、後２４℃」、「上２６℃、下２４℃」のように文字で表わしてもよい。即ち、部屋Ｒ内をどのように分割した第１、第２領域に２つの異なる設定温度を与えるのかが、使用者にわかりやすくなっていればよい。また、図２９に示すように、スライド式の蓋３１ｄをスライドさせることにより温度、風向、風量等をより詳細に入力することができるようになっている。
【０１１６】
尚、各気流制御は使用者の操作によってリモートコントローラ３１から指令があった際に行われるが、室内の温度が所定条件に到達した際に自動的に切り替えて実行されるようにしてもよい。また、音声認識部（不図示）を介して接続されたマイク（不図示）を室内機１に設けて制御部に指令してもよい。即ち、マイクに向かって、例えば、「左を低温」と発声すると、室内が均一な温度分布の状態から、左右に分割した第１領域を第２領域よりも低温に温度制御することができる。
【０１１７】
また、図３０に示すように、インターネット等のネットワーク３７を介して空気調和機と通信端末３６とを接続してもよい。この時、ホームサーバー等のサーバー３８を介在させてもよい。通信端末３６はパーソナルコンピュータ、電話機、携帯電話機等から成り、無線移動通信網、電話回線、衛星通信、ケーブル回線等によりネットワーク３７に接続される。
【０１１８】
通信端末３６は前述の図４や図２９に示すリモートコントローラ３１の各種キー操作に相当する操作が可能に構成される。これにより、ネットワークを利用した空気調和機のリモートコントロールシステムが構築される。従って、通信端末３６から空気調和機に指令を送信して室内を温度制御することができ、外出先から遠隔操作して空気調和機の利便性を向上することができる。
【０１１９】
更に、プロバイダ等の情報を提供する役務機関からネットワーク３７を介して提供される情報に基づいて空気調和機を制御してもよい。即ち、役務機関から契約ユーザを対象とするサービスの一環として、ネットワーク３７を介して空気調和機またはサーバー３８にアクセスして気象情報等が提供される。空気調和機は気象情報に基づいて、西日が強い日には、部屋Ｒの西側を東側に対して２℃低温に制御される。これにより、空気調和機の利便性をより向上させることができる。
【０１２０】
以上により、本発明に係る空気調和機を説明したが、本発明は上記実施形態に限定されるものではなく、本発明の趣旨を逸脱しない範囲で適宜の変更を加えて実施することができる。
【産業上の利用可能性】
【０１２１】
本発明は、室内の空気を調和する空気調和機に利用することができる。
【図面の簡単な説明】
【０１２２】
【図１】本発明の第１実施形態の空気調和機の室内機を示す斜視図
【図２】本発明の第１実施形態の空気調和機の室内機を示す側面断面図
【図３】本発明の第１実施形態の空気調和機の室内機の縦ルーバ示す平面図
【図４】本発明の第１実施形態の空気調和機のリモートコントローラを示す平面図
【図５】本発明の第１実施形態の空気調和機の室内機の第１の気流制御時の配置を示す側面断面図
【図６】本発明の第１実施形態の空気調和機の室内機の第２の気流制御時の縦ルーバの配置を示す平面図
【図７】本発明の第１実施形態の空気調和機の室内機の第２の気流制御時の横ルーバの配置を示す側面断面図
【図８】本発明の第１実施形態の空気調和機の室内機の第２の気流制御時の横ルーバの配置を示す斜視図
【図９】本発明の第１実施形態の空気調和機の室内機の第２の気流制御時の空気送出方向を示す斜視図
【図１０】本発明の第１実施形態の空気調和機の室内機の第２の気流制御時の居室内の気流の挙動を示す図
【図１１】図１０の断面Ｄ１における温度分布を示す図
【図１２】図１０の断面Ｄ２における温度分布を示す図
【図１３】図１０の断面Ｄ３における温度分布を示す図
【図１４】図１０の断面Ｄ４における温度分布を示す図
【図１５】本発明の第１実施形態の空気調和機のリモートコントローラの第４の気流制御時の表示状態を示す平面図
【図１６】本発明の第１実施形態の空気調和機の室内機の第４の気流制御時の居室内の気流の挙動を示す図
【図１７】図１６の断面Ｄにおける温度分布を示す図
【図１８】本発明の第１実施形態の空気調和機のリモートコントローラの第６の気流制御時の表示状態を示す平面図
【図１９】本発明の第１実施形態の空気調和機の室内機の第６の気流制御時の横ルーバの配置を示す側面断面図
【図２０】本発明の第１実施形態の空気調和機の室内機の第６の気流制御時の居室内の気流の挙動を示す図
【図２１】図２０の断面Ｄにおける温度分布を示す図
【図２２】本発明の第２実施形態の空気調和機の室内機を示す斜視図
【図２３】本発明の第２実施形態の空気調和機の室内機の第２の気流制御時の横ルーバの配置を示す斜視図
【図２４】本発明の第３実施形態の空気調和機の室内機を示す斜視図
【図２５】本発明の第３実施形態の空気調和機の室内機の横ルーバを示す斜視図
【図２６】本発明の第３実施形態の空気調和機の室内機の第２の気流制御時の横ルーバの配置を示す斜視図
【図２７】本発明の第４実施形態の空気調和機の室内機の第２の気流制御時の居室内の気流の挙動を示す図
【図２８】本発明の第１〜第４実施形態の空気調和機の他のリモートコントローラを示す平面図
【図２９】本発明の第１〜第４実施形態の空気調和機の他のリモートコントローラを示す平面図
【図３０】本発明の第１〜第４実施形態の空気調和機のネットワークを利用した空気調和機のリモートコントロールシステムを示す図
【符号の説明】
【０１２３】
１    室内機
２    キャビネット
３    フロントパネル
４    吸込口
５    吹出口
６    送風経路
７    送風ファン
８    エアフィルタ
９    室内熱交換器
１０    ドレンパン
１１１ａ〜１１１ｄ、１１２ａ〜１１２ｃ、１１３ａ、１１３ｂ  横ルーバ
１２ａ、１２ｂ  縦ルーバ
３１    リモートコントローラ
６１    温度センサ
【図１】
2006220417.tif 000003
【図２】
2006220417.tif 000004
【図３】
2006220417.tif 000005
【図４】
2006220417.tif 000006
【図５】
2006220417.tif 000007
【図６】
2006220417.tif 000008
【図７】
2006220417.tif 000009
【図８】
2006220417.tif 000010
【図９】
2006220417.tif 000011
【図１０】
2006220417.tif 000012
【図１１】
2006220417.tif 000013
【図１２】
2006220417.tif 000014
【図１３】
2006220417.tif 000015
【図１４】
2006220417.tif 000016
【図１５】
2006220417.tif 000017
【図１６】
2006220417.tif 000018
【図１７】
2006220417.tif 000019
【図１８】
2006220417.tif 000020
【図１９】
2006220417.tif 000021
【図２０】
2006220417.tif 000022
【図２１】
2006220417.tif 000023
【図２２】
2006220417.tif 000024
【図２３】
2006220417.tif 000025
【図２４】
2006220417.tif 000026
【図２５】
2006220417.tif 000027
【図２６】
2006220417.tif 000028
【図２７】
2006220417.tif 000029
【図２８】
2006220417.tif 000030
【図２９】
2006220417.tif 000031
【図３０】
2006220417.tif 000032